(57)【要約】【課題】シリアル・データ・コミュニケーションにおける複数チャネルの信号の間のスキューを簡単で信頼性をもって測定する。【解決手段】複数の被試験チャネルの組合せの各々から信号を取込み、取込み信号内のクロス・オーバー・ポイントを見つける。取込み信号をビット・パターンに変換する。この変換されたビット・パターンから基準ビット・パターンと一致するものを見つけ、そのビット・パターン・インデックスを識別する。この識別され一致したビット・パターンの各々のビット・パターンを記録ポイントに変換する。異なる複数チャネルの記録ポイントの間の時間差を計算して、スキュー値を求め、スキューを測定する。【選択図】図１
2009047698.tif 000002
【特許請求の範囲】
【請求項１】
シリアル・データ・コミュニケーションにおける複数チャネルの信号の間のスキューを測定する方法であって、
複数の被試験チャネルの組合せの各々から取込まれた信号内のクロス・オーバー・ポイントを見つけ、
上記取込まれた信号をビット・パターンに変換し、
基準ビット・パターンと一致する上記変換されたビット・パターンのビット・パターン・インデックスを識別し、
上記識別され一致したビット・パターンの各々のビット・パターンを記録ポイントに変換し、
異なる複数チャネルの上記記録ポイントの間の時間差を計算して、スキュー値を求める
ことを特徴とするシリアル・データ・コミュニケーションのチャネル間スキュー測定方法。
【請求項２】
シリアル・データ・コミュニケーションの複数チャネルの間のスキューを見つける装置であって、
複数の被測定チャネルの組合せから信号を取り込む入力手段と、
上記チャネルの各々から取込んだ上記信号をビット・パターンに変換するプログラミング・ユニットとを具え、
該プログラミング・ユニットは、基準ビット・パターンと一致する上記ビット・パターン識別して、これら識別されたビット・パターンのインデックスを識別し、これらインデックスの間のスキューを計算することを特徴とするシリアル・データ・コミュニケーションのチャネル間スキュー測定装置。
【発明の詳細な説明】
【技術分野】
【０００１】
本発明は、一般に、シリアル・データ・コミュニケーションに関し、特に、スキューの測定に関する。
【背景技術】
【０００２】
１０年以上もの間、ビデオ・グラフィック・アレイ（ＶＧＡ）／  スーパー・ビデオ・グラフィック・アレイ（ＳＶＧＡ）表示技術が広く使用されてきた。グラフィック画像をピクセル情報用のＲＧＢパターンを表す３つのアナログ信号に変換するＰＣグラフィック・カードにより、ＶＧＡが駆動されているため、ＶＧＡは、アナログ伝送技術を用いている。
【０００３】
ビデオ信号の他に、これら信号も水平同期（Hsynch）及び垂直同期（Vsynch）信号を伝送する。これら同期信号は、一般に新たなライン及び新たなフレームの開始を識別するのに用いられる。
【０００４】
デジタル技術の進歩により、年と伴にＶＧＡ分解能が取り残されてしまった。例えば、マシーンが依然ＶＧＡモードで動作している間は、マイクロソフト・ウィンドウズ（登録商標）スプラッシュ・スクリーンである。その理由は、スプラッシュ・スクリーンが常に低い分解能及び少ない色数であるためである。
【０００５】
アナログ技術のＶＧＡは、高解像度ソースが盗まれる、即ち、コピーされるのを防止するために、暗号化することができなかった。さらに、ＶＧＡは、モニタ画像要素である個別のピクセルを正確に場所指定できなかった。また、ＶＧＡは、多くの電力を消費すると共に、装置を低速動作にした。
【０００６】
これら要素の総てにより、近年、ＶＧＡ技術は、ＤＶＩ（デジタル・ビデオ・インタフェース）を用いたデジタル伝送技術に置き換わっている。
【０００７】
ＶＧＡ技術に対して、ＤＶＩはデジタル・プロトコルを用い、ピクセルの所望輝度を２進データとして伝送している。デジタル・オーディオ伝送技術の発展により、他の技術もＤＶＩに類似するようになったが、オーディオ（非圧縮の８チャネルまで）の追加により、小さなコネクタがＨＤＭＩ（High Definition Multimedia Interface）高分解能マルチメディア・インタフェース）と呼ばれるようになった。
【０００８】
７２０ｐまでをサポートとするだけのＶＧＡに対して、ＨＤＭＩは、７２０ｐ、１０８０ｉ及び１０８０ｐをサポートする。また、ＨＤＭＩは、チャネル間の同期が良好なので、ＶＧＡ又はコンポーネント・ビデオ以上の上位の画像も提供する。
【０００９】
ＨＤＭＩは、コンポーネント・ケーブルを交換するように組み込まれた新たなソースである。コンポーネント・ケーブルは、高分解能を伝送するが、アナログ・ソースであり、多くのケーブル、即ち、即ち、赤／青／緑のビデオ・ケーブルと、赤／白のオーディオ・ケーブルを有する。
【００１０】
ＨＤＭＩは、ビデオ・データ期間（Video Data Period）、データ・アイスランド期間（Data Island Period）、及び制御期間（Control Period）と呼ばれる３つのモードの１つにより、ビデオ、オーディオ及び補助データを伝送する。ビデオ・データ期間の間、アクティブ・ビデオ・ラインのピクセルが伝送される。データ・アイスランド期間（水平及び垂直ブランキング・インターバルの間に生じる）の間、オーディオ及び補助データが一連のパケット内で伝送される。制御期間は、ビデオ・データ期間及びデータ・アイスランド期間の間に生じる。
【００１１】
また、ＨＤＭＩによる１本のケーブルは、オーディオ及びビデオを伝送し、純粋なデジタル・ソースを維持しながら、５本のケーブルが必要なコンポーネントとしての上級の機能を達成する。ＨＤＭＩ／ＤＶＩは、３つのデータ・チャネル（Ｄ０、Ｄ１、Ｄ２）及び明示（explicit）クロック・チャネルで構成される。チャネル２が伝送するデータは赤信号であり、チャネル１は緑信号を伝送し、チャネル０は青信号を伝送する。クロックは、明示分離（explicit separate）チャネルで伝送される。
【００１２】
ビデオ情報とは別に、青チャネルは、ブランキング・インターバルの間に制御信号であるHsync及びVsyncも伝送する。オーディオ信号は、デジタル・フォーマットで挿入され、制御期間中に伝送される。
【００１３】
アナログ伝送技術は、位相変化に対して一層敏感であり、干渉に対しても非常に過敏である。外部信号の波形は特定信号と相互作用するので、これにより、障害による信号の減衰が生じて、その波形の形状が変化する。これは、より大きなスキューの問題を生じ、測定を困難にする。
【００１４】
例えば、温度の変化及びコンポーネントの経時変化により、遅延がゆっくりと可変して、時間経過に伴いドリフトとなる。これにより、デジタル伝送におけるスキュー測定技術が必要となる。
【００１５】
典型的には、スキューを補正する従来方法は、試行錯誤に依存していた。送信機からの初めは一致した１組のシンボルを異なる複数のラインに供給し、受信したシンボルが一致するまで、各ラインに異なる遅延を与えた。しかし、この方法を用いると、スキューが求まるまで非常に時間がかかる。
【００１６】
また、アナログ信号用の従来の測定では、同じ信号を両方のチャネル、即ち、「From」チャネル及び「To」チャネルに供給し、オシロスコープを用いて、その信号の立ち上がりエッジ又は立ち下がりエッジの間の時間差を計算した。
【００１７】
ＨＤＭＩデジタル・ビデオ伝送において、データ・チャネルを３個のエンコーダから導出する。また、ＴＭＤＳ（遷移最小差動シグナリング：高速シリアル・データを伝送する技術）のデコード技術を用いると、デコード済みパターン情報に応じてデータ・チャネルの信号に遷移が生じる。複数チャネルの遷移は、全体的に相関されていない。これは、ピクセル情報に基づくので、スキューを測定する際の基準として「From」チャネル及び「To」チャネルの遷移を用いることができない。これにより、スキューを測定する従来方法が制限される。これは、スキューを測定する従来方法を制限する。
【００１８】
スキューを測定する既知のシステムである「電子システムにおけるスキュー測定」が、チャネル対チャネルのスキューに対して国際公開第ＷＯ／１９８９／００１６３４号パンフレットに記載されている。このパンフレットは、複数の入力チャネルを有する電子システムにおけるチャネル対チャネルのスキュー、即ち、位相差を測定する方法を記載しており、これら複数の入力チャネルは、周波数がｆｏで周期がＰｏのサンプリング・パルスによりサンプリングされる。各入力チャネルのサンプリング・パルスは、先ず、周波数がｆｒで周期がＰｒの基準信号と混合される。これら周波数ｆｒ及び周期Ｐｒは、サンプリング・パルスの周波数及び周期と異なる。この混合により、各入力チャネルにビート信号が生じる。「有効測定インターバル」と呼ぶ値は、サンプリング・パルスの周期Ｐｏ及び基準信号の周期Ｐｒの差に等しく、この値を計算する。「見かけスキュー」と呼ぶ値は、複数のビート信号の間のスキュー、即ち、位相差を表し、サンプリング・パルスの周期Ｐｏの数と等しく、この値を求める。最後に、「有効測定インターバル」を「見かけスキュー」と乗算して、サンプリング・パルスの位相差であるスキューを計算する。
【００１９】
【特許文献１】国際公開第ＷＯ／１９８９／００１６３４号パンフレット
【発明の開示】
【発明が解決しようとする課題】
【００２０】
しかし、上述の方法は、クロック・チャネルと種々の他の信号及びプロトコルとの間のスキューを測定できなかった。したがって、スキューを測定する簡単で信頼性のある手段を提供する装置及び方法が必要とされている。
【課題を解決するための手段】
【００２１】
本発明は、シリアル・データ・コミュニケーションにおける複数チャネルの信号の間のスキューを測定する方法であって；複数の被試験チャネルの組合せの各々から取込まれた信号（取込み信号）内のクロス・オーバー・ポイントを見つけ；取込まれた信号をビット・パターンに変換し；基準ビット・パターンと一致する変換されたビット・パターンのビット・パターン・インデックスを識別し；識別され一致したビット・パターンの各々のビット・パターンを記録ポイントに変換し；異なる複数チャネルの記録ポイントの間の時間差を計算して、スキュー値を求めることを特徴とする。
本発明の方法において、スキュー測定が必要なチャネル間のチャネル組合せにプローブを用いて、取込み信号を取り込む。
本発明の方法において、取込み信号のエッジを見つけることにより、取込み信号でのクロスオーバーの識別を行う。
本発明の方法において、各ステップは、被試験チャネルの組合せの各々からの取込み信号内のクロス・オーバー・ポイントを見つけ；取込み信号をビット・パターンに変換し、基準ビット・パターンと一致する変換済みビット・パターンのビット・パターン・インデックスを識別し；識別され一致したビット・パターンの各々のビット・パターン・インデックスを記録ポイントに変換し；これらチャネルの各々に対して同時に生じさせる。
本発明の方法において、各ステップは、被試験チャネルの組合せの各々からの取込み信号内のクロス・オーバー・ポイントを見つけ；取込み信号をビット・パターンに変換し、基準ビット・パターンと一致する変換済みビット・パターンのビット・パターン・インデックスを識別し；識別され一致したビット・パターンの各々のビット・パターン・インデックスを記録ポイントに変換し；これらチャネルの各々に対して連続的に生じさせる。
本発明の方法において、識別された一致ビット・パターンのインデックスを記録に変換するステップは、更に、識別された一致ビット・パターンの各々のビット・パターン・インデックスを波形記録に変換し；サンプル・インターバル情報を用いてかかるインデックスの時間値を見つけている。
本発明の方法において、クロス・オーバー・エッジＴビット・インターバル技術を用いて、取込み信号のビット・パターンへの変換を行っている。
また、本発明は、シリアル・データ・コミュニケーションの複数チャネルの間のスキューを見つける装置であって；複数の被測定チャネルの組合せから信号を取り込む入力手段と；チャネルの各々から取込んだ信号をビット・パターンに変換するプログラミング・ユニットとを具え；このプログラミング・ユニットは、基準ビット・パターンと一致するビット・パターン識別して、これら識別されたビット・パターンのインデックスを識別し、これらインデックスの間のスキューを計算することを特徴とする。
【発明を実施するための最良の形態】
【００２２】
シリアル・データ・コミュニケーションにおける種々のプロトコルに対する複数の信号の間のスキューを測定する装置及び方法を以下に開示する。一実施例において、複数チャネル間のスキューの測定が必要となるこれら複数チャネルの各々から信号を取り込む。これら信号のビット・パターンへの変更を行う。基準ビット・パターンと一致するビット・パターンのインデックスを識別し、その後、記録ポイントに変換して、スキューを計算する。
【００２３】
スキューを測定する方法の一実施例において、これらチャネルの各々から信号を取込み、被試験チャネルの組合せの各々からの取込み信号内にクロス・オーバー・ポイントを見つける。更なるステップでは、取込み信号をビット・パターンに変換する。更に、基準ビット・パターンと一致する変換ビット・パターンのビット・パターン・インデックスを識別する。最後に、かかるインデックスを波形に変換して、異なる複数チャネルの記録ポイント間の時間差を計算して、スキューを求めることを行う。
【００２４】
よって、本発明の装置及び方法は、シリアル・データ・コミュニケーションにおいて信号を伝送する複数チャネル間のスキューを測定する簡単で信頼性のある方法を提供する。
【実施例】
【００２５】
本発明の実施例について説明するが、これらの例を添付図に示す。これら図は、説明のためであり、本発明を限定するものではない。本発明は、これら実施例に一般的に説明されているが、これら特定実施例に本発明の要旨を限定するものではないことが理解できよう。
【００２６】
シリアル・データ・コミュニケーションにおける種々のプロトコル用の複数新刊のスキューを測定する装置及び方法を説明する。一実施例において、スキューの測定が必要なチャネル間の各チャネルから信号を取り込む。これら信号をビット・パターンに変換する基準ビット・パターンに一致するビット・パターンのインデックスを識別し、その後、記録ポイントに変換して、スキューを計算する。
【００２７】
以下の説明において、説明のために、実施例を理解しやすくするように、特定の細部についても説明する。しかし、これら実施例は、これらの細部がなくても実施できることが当業者には明らかであろう。以下に説明する実施例は、多くのシリアル・コミュニケーション・システムに組み込めることが当業者には理解できよう。ここで説明し添付のブロック図に示す構成及びデバイスは、実施例を示すものであり、不必要に実施例を不明瞭にしないために、既知のコンポーネント及び処理技術の説明を省略する。さらに、これら図内のコンポーネント間の接続は、直接接続に限定されるものでもない。さらに、これらコンポーネント間のデータを変更してもよいし、再フォーマットしてもよいし、中間コンポーネントにより変更してもよい。
【００２８】
本明細書において、「一実施例」又は「実施例」とは、その実施例に関連して説明した特定の特徴、構成、特性又は機能が実施例の少なくとも１つの観点で含まれていることを意味する。さらに、明細書の種々の位置に現れる「実施例において」は、同じ実施例に対して不必要に参照していない。
【００２９】
図１は、本発明の一実施例による装置を用いてスキューを測定する設定を示す図である。この設定では、本発明の技術により構成された特定をＤＳＯである装置１０１を具えており、プローブが被試験チャネルに接続されている。図示の設定例では、チャネル０及びチャネル２が被試験対象である。また、本発明の技術により構成された特定のＤＳＯは、入力手段及びプログラミング・ユニットを具えている。さらに、ラスタ化及び表示サブシステムも具えている。
【００３０】
入力手段は、被試験チャネルの組合せから信号を取り込む。さらに、プログラミング・ユニット１０７は、各チャネルから取込んだ信号（取込み信号）をビット・パターンに変換する。また、プログラミング・ユニットは、基準ビット・パターンと一致するビット・パターンを識別して、かかる識別されたビット・パターンのインデックスを識別すると共に、かかる複数のインデックス間のスキューを計算する。
【００３１】
ビデオ伝送信号は、垂直ブランキング・インターバル期間中の垂直フレーム同期用に用いるVsynchと、水平ブランキング期間中に新たなラインの開始を同期させるHsynchとを具えており、各ラインは、ブランキング・インターバルの後にビデオ・データを伝送する。ブランキング・インターバル期間は、ビデオ分解能に応じて決まる。２つよりも多い水平ラインを取り込んで、共に整合されたビット・ストリームが取込み記録に確実に存在するようにする。オシロスコープの設定は、総ての分解能に対して例外なく同じようにできる。これにより、取込んだ記録でそのパターンが生じる可能性が時間に対して（略）９０％よりも高くなり、そのパターンを見つけられない可能性が（略）５％未満となる。１０８０ｐ（２．２５Ｇビット／秒）までの分解能に対して図示した例示的な設定を用いることができ、これは、他のデータ・レートにも拡張できる。
【００３２】
図２は、スキュー測定が必要なチャネルの種々の組合せの実施例を示す。ＨＤＭＩ＿ＴＭＤＳリンクは、チャネル０、チャネル１、チャネル２及びピクチャ・クロック・チャネルを具えている。チャネル０、チャネル１及びチャネル２の各々は、リンクの各側に設けられたエンコーダ及びデコーダを有する。入力ストリームに近傍のエンコーダは一緒にソース（信号源）２３０として機能し、出力ストリームに近傍のデコーダはシンク（受信手段）２４０として機能する。チャネル０用エンコーダ（エンコーダ／シリアライザ（シリアル化））２３２は、ピクセル・コンポーネント２３２ａ、Hsynch及びVsynch２３２ｂ、補助データ２３２ｃから成る３つの入力ラインを有する。さらに、チャネル１用エンコーダは、ピクセル・コンポーネント２３４ａ、制御ライン２３４ｂ、補助データ・ライン２３４ｃから成る３つの入力ラインを有する。チャネル２用エンコーダは、ピクセル・コンポーネント２３６ａ、制御ライン２３６ｂ及び補助データ・ライン２３６ｃの３個の入力ラインを有する。デコーダ（リカバリ（回復）／デコーダ）２４２〜２４６の各々の出力ストリームには、対応するラインが存在する。
【００３３】
ＴＭＤＳクロック・チャネルは、伝送するビデオのピクセル・レートにて連続的に動作する。ＴＭＤＳクロック・チャネルの全サイクル期間中、３つのＴＭＤＳデータ・チャネルの各々は、１０ビット・キャラクターを伝送する。いくつかの異なるコード技術の１つを用いて、この１０ビット・ワードをエンコードする。
【００３４】
ソースのエンコード・ロジックへの入力ストリームは、ビデオ・ピーク、パケット及び制御データを含むだろう。パケット・データは、オーディオ及び補助データ、並びに関連したエラー補正コードを含んでいる。
【００３５】
これらデータ項目は、種々の方法で処理され、ＴＭＤＳチャネル毎に制御データの２ビット、パケット・データの４ビット、又はビデオ・データの８ビットとしてＴＭＤＳエンコーダに示される。ソースは、これらデータ形式の１つをエンコードするか、所定クロック・サイクルのガード・バンド（ＧＢ）キャラクターをエンコードする。
【００３６】
本発明は、チャネル０及びチャネル１、チャネル０及びチャネル２、チャネル１及びチャネル２の如きＴＭＤＳチャネル間のスキューを測定できるようにする。所定の場合にて、ＨＤＭＩ＿ＴＭＤＳリンクは、３つの期間の任意の１つでもよい。なお、これら３つの期間とは、ビデオ・データ期間、データ・アイスランド期間及び制御期間である。ビデオ期間中、アクティブ・ラインのアクティブ・ビデオ・ピクセルを伝送し、データ・アイスランド期間中、オーディオ及び補助データが伝送される。制御期間には、ビデオ、オーディオ、補助情報が伝送されない。制御期間ではない任意の２つの期間の間に、制御期間が必要となる。
【００３７】
図３は、本発明の実施例により、種々のチャネルを伝送するデジタル・ビデオの異なる期間を示す。各ビデオ・データ期間及びデータ・アイスランド期間がガード・バンド（ＧＢ）にて処理されて、制御期間からデータ・アイスランド期間へのバンドの遷移を示すことが図から判る。
【００３８】
ＴＭＤＳチャネルは、夫々のチャネルに入力する制御信号ビットに基づいて制御期間中にデータを配置する。プリアンブルと組合さった前方ビデオ・ガード・バンドの期間中のデータ・ビットが全３チャネルにて同時に生じる。
【００３９】
ＴＭＤＳチャネル１は、ビデオ情報及び同期情報を伝送する。HSynchは、スタンダード８６１Ｂビデオ標準に準じるものである。HSynchは、分解能に応じて正極性及び負極性になることができる。ビデオ・ガード・バンドの前のこのチャネルのビット・パターンは、極性に依存する。これは、分解能に依存して正極性又は負極性である。ビット・パターン値は、Hsynch及びVsynchのビット（０、０）及び（１、１）と、他の組合せとに依存する。ビデオ・ガード・バンド期間中、他のＴＭＤＳチャネル１及び２のＴＭＤＳパターンは、高分解能マルチメディア・インターバル１．２ａに記載されたパターンに対応する。
【００４０】
図３から判るように、ビデオ・ガード・バンドの前は、制御期間（ＣＴＬ期間）である。ここで、Hsynch及びVsynchは、正同期教区正の時、ゼロである。したがって、データ０チャネルは、パターン０、０：q_out[9:0]=0b1101010100である。
【００４１】
さらに、データ０チャネル用のこのパターンをＴＭＤＳチャネル１用のビデオ・ガード・バンド・パターンと組み合わせることにより、00101010110011001101の２０ビット・パターンの如き反転パターンを得る。同様に、ガード・バンドを他のチャネル１及びチャネル２用のパターンと組み合わせることにより、その結果が図４Ａ及び図４Ｂに示すようになる。
【００４２】
図５に示す流れ図を参照して、シリアル・データ・コミュニケーションにおける複数チャネル間のスキューを測定する方法を説明する。
【００４３】
スキューを測定するこの方法を実行するために、装置に特定の設定が必要である。特に、共に整合されたビット・ストリームが確実に取込み記録に存在するようにするために、２つより多い水平ラインを取り込む。総ての分解能に適応できるように、オシロスコープの設定を全体的に同じに行う。これにより、取込んだ記録でそのパターンが生じる可能性が時間に対して（略）９０％よりも高くなり、そのパターンを見つけられない可能性が（略）５％未満となる。１０８０ｐ（２．２５Ｇビット／秒）までの分解能に対して図示した例示的な設定を用いることができ、これは、他のデータ・レートにも拡張できる。
【００４４】
本発明の技術により構成されたＤＳＯのプローブを被試験チャネルに先ず接続して、選択された複数チャネル間のスキューを測定する。これらチャネルの各々から信号を取り込んで、複数の被試験チャネルの組合せの各々からの取込み信号にてクロス・オーバー・ポイントを見つける（ステップ５０１）。さらに、次のステップで、取込み信号をビット・パターンに変換する（ステップ５０３）。
【００４５】
次のステップでは、基準ビット・パターンに一致する変換済みビット・パターンのビット・パターン・インデックスを識別する（ステップ５０５）。例えば、図６に示すように、ＴＭＤＳチャネル１のビット・パターンは、００１０１０１０１１００１１００１１０１であり、このインデックスが識別される。ＴＭＤＳチャネル１の別のビット・パターンは、１１０１０１０１００１１００１１００１０であり、これは、基準ビット・パターンの負のものであり、チェックする必要がある。かかるビット・パターンのインデックスも識別される。ＴＭＤＳチャネル２内のビット・パターンは、００１０１０１０１１００１１００１１０１であり、かかるビット・パターンのインデックスも識別される。
【００４６】
識別された一致する複数のビット・パターンのかかるインデックス間の時間差を見つけるため、更に処理を必要とする。一致ビット・パターンは、基準ビット・パターンの負のものも含んでおり、これは、分解能による負極性によるものであることに留意することが重要である。
【００４７】
よって、次のステップでは、識別した一致ビット・パターンの各々のビット・パターン・インデックスを記録ポイントに変換する(ステップ５０７)。この方法は、識別した一致ビット・パターンの各々のビット・パターン・インデックスを波形記録に変換し、サンプル・インターバル情報を用いて、かかるインデックスの時間値を見つけるステップを含んでいる。
【００４８】
異なるチャネルでの複数の記録ポイント間の時間差を計算して、スキュー値を求める（ステップ５０９）。特に、サンプル・インターバル情報を用いて、一致するビット・パターンのインデックスを波形記録に変換して、更に、時間値に変換する。
【００４９】
クロック遷移エッジに対してパターンの開始を測定することにより、クロック・データ・チャネルのスキューも測定できる。このスキュー測定の結果確認（Result Details）を図７Ａ〜図７Ｄに示す。特に、図７Ａは、クロック・データ・スキューに対するスキュー測定の結果確認を示す。また、図７Ｂは、データ・スキューＤ１−Ｄ２用のスキュー測定の結果確認を示す。図７Ｃは、データ・スキューＤ０−Ｄ１用のスキュー測定の結果確認を示す。図７Ｄは、データ・スキューＤ０−Ｄ２用のスキュー測定の結果確認を示す。
【００５０】
よって、本発明の装置及び方法は、シリアル・データ・コミュニケーションにおいて信号を伝送する複数チャネル間のスキューを測定する簡単で信頼性のある方法を提供する。
【００５１】
特定の実施例を参照して本発明を説明したが、種々の変更が可能なことが当業者には理解できよう。よって、本発明の要旨は、特許請求の範囲によって特定される。
【図面の簡単な説明】
【００５２】
【図１】本発明の実施例の装置を用いてスキューを測定する設定を示す図である。
【図２】本発明の実施例により、ソース及びシンク間のＴＭＤＳリンクを示す図である。
【図３】本発明の実施例により、デジタル・ビデオ伝送の異なる期間を示す図である。
【図４Ａ】本発明の実施例により、ＴＭＤＳリンクの種々のＴＭＤＳチャネルにおけるビット・パターンを示す図である。
【図４Ｂ】本発明の実施例により、ＴＭＤＳリンクの種々のＴＭＤＳチャネルにおけるビット・パターンを示す図である。
【図５】本発明の実施例により、スキューを測定する方法の流れ図である。
【図６】本発明の実施例によるＴＭＤＳ波形を示す図である。
【図７Ａ】本発明によるスキュー測定の結果を確認する図である。
【図７Ｂ】本発明によるスキュー測定の結果を確認する図である。
【図７Ｃ】本発明によるスキュー測定の結果を確認する図である。
【図７Ｄ】本発明によるスキュー測定の結果を確認する図である。
【符号の説明】
【００５３】
１０３  入力手段
１０５  ラスタ化及び表示サブシステム
１０７  プログラミング・ユニット
２２０  ＨＤＭＩ＿ＴＭＤＳリンク
２３０  ソース
２３２、２３４、２３６  エンコーダ
２４０  シンク
２４２、２４４、２４６  デコーダ
【図１】
2009047698.tif 000003
【図２】
2009047698.tif 000004
【図３】
2009047698.tif 000005
【図４Ａ】
2009047698.tif 000006
【図４Ｂ】
2009047698.tif 000007
【図５】
2009047698.tif 000008
【図６】
2009047698.tif 000009
【図７Ａ】
2009047698.tif 000010
【図７Ｂ】
2009047698.tif 000011
【図７Ｃ】
2009047698.tif 000012
【図７Ｄ】
2009047698.tif 000013